(57)【要約】　　　（修正有）【課題】誤って帯電した手でコネクト接点を触っても本体ＥＣＵの回路まで高圧静電気が流れないようにする。【解決手段】電気的接点部を有するメモリ手段２とを有するプロセスカートリッジ１を、着脱可能であり記録媒体に画像を形成する電子写真画像形成装置において、前記プロセスカートリッジを着脱する開口を開放、閉塞する開閉カバーと、前記メモリ手段と電気的に接触する接点部を有するコネクタ部材と、開閉カバーに連動してコネクタをメモリ手段に接触可能な通信可能位置と接触不可能な待避位置に稼働するコネクタ動作機構を有し、前記コネクタ手段がメモリ手段に接触不可能な位置にある場合にはコネクターの接点４はメモリ通信回路から遮断され、メモリ手段に接触可能な位置にある場合にはメモリ通信回路と接続されることを特徴とする画像形成装置。【選択図】　　　　図１−Ｂ
2004069944.tif 000002
【特許請求の範囲】
【請求項１】
電子写真感光体と前記電子写真感光体に作用する少なくとも１つのプロセス手段と電気的接点部を有するメモリ手段とを有するプロセスカートリッジを、着脱可能であり記録媒体に画像を形成する電子写真画像形成装置において、
前記プロセスカートリッジを着脱する開口を開放、閉塞する開閉カバーと、
前記メモリ手段と電気的に接触する接点部を有するコネクタ部材と、
開閉カバーに連動してコネクタをメモリ手段に接触可能な通信可能位置と接触不可能な待避位置に稼動するコネクタ動作機構と、
を有し、
前記コネクタ手段がメモリ手段に接触不可能な位置にある場合にはコネクターの接点はメモリ通信回路から遮断され、メモリ手段に接触可能な位置にある場合にはメモリ通信回路と接続されることを特徴とする画像形成装置。
【請求項２】
上記構成に加え、前記コネクタ手段がメモリ手段に接触不可能な位置にある場合には、メモリ通信回路から遮断されると同時に、接点部がグラウンドアースと接続されることを特徴とする請求項１に記載の画像形成装置。
【発明の詳細な説明】
【０００１】
【発明の属する技術分野】
本発明は、電子写真画像形成装置に関するものである。
【０００２】
ここで、電子写真画像形成装置とは、電子写真画像形成方式を用いて記録媒体に画像を形成するものである。そして、電子写真画像形成装置の例としては、例えば、電子写真複写機、電子写真プリンタ（例えばレーザープリンタ、ＬＥＤプリンタ等）、ファクミリ装置、ワードプロセッサ及びこれらの複合機（マルチファンクションプリンター等）が含まれる。
【０００３】
【従来の技術】
従来の画像形成装置の例を図５及び図６−１、図６−２に示す。
【０００４】
従来、電子写真画像形成プロセスを用いた電子写真画像形成装置においては、カートリッジに取り付けられたメモリー基盤であるメモリータグを用いてプロセスカートリッジの管理や最適な性能を引き出す機構を搭載しているものが存在する。
【０００５】
また、メモリータグとプリンタとの通信は非接触の通信方式と接触式の通信方式を採用している構成があるが、接触式の通信接点の方が安価であるため、接触式通信接点が採用される場合が多い。
【０００６】
この接触式接点は一般に本体の通信制御回路に接続されており、この接点がメモリー手段の接点面に接触することで、プロセスカートリッジに取り付けられたメモリータグと通信を行なうようになっている。
【０００７】
また、この場合にはプロセスカートリッジの着脱において接点が接触位置にあったままでは接点やメモリーの接触面にダメージが及ぶ場合があるため、一般的にプロセスカートリッジの着脱や開閉カバーの開閉動作に連動して、プロセスカートリッジ着脱位置に接点を待避させる構成を採用することが多い。
【０００８】
【発明が解決しようとする課題】
しかしながら、接触式接点はプロセスカートリッジに取り付けられたメモリー手段に接触しなくてはならないため、プロセスカートリッジ着脱用の開口部から完全に待避することが難しく、カートリッジ着脱開口部からユーザーの手やプロセスカートリッジのメモリ取り付け部以外等に接触する可能性があった。
【０００９】
また、接触式接点はメモリーとデータ通信を行なう通信回路と直接つながっているため、高圧の静電気等が接点部に入ると通信回路にダメージが及ぶ場合があった。
【００１０】
また、接点部にユーザーの手が接触しないようにするためには、コネクターをフレーム部材で守られた位置まで待避させる必要があるが、コネクターの動作量が大きくなってしまうため必要なスペースが大きくなってしまう問題があった。
【００１１】
【課題を解決するための手段】
上記目的を達成するための本発明に係る画像形成装置の代表的な構成は、プロセスカートリッジと、プロセスカートリッジに取り付けられた接触式メモリータグと、メモリータグとの電気接点であるタグコネクターと、タグコネクターを保持し、メモリータグに接触させるコネクターホルダーと、コネクターホルダーに接触圧をかけるコイルばねと、開閉カバーに連動してコネクタをメモリ手段に接触可能な位置と接触不可能な位置に稼動するコネクタ動作機構と、コネクターがメモリ手段に接触可能な位置にいる場合にはコネクターとメモリ通信回路が接続され、コネクターがメモリ手段に接触不可能な位置にいる場合にはコネクターの接点と通信回路の接続が遮断される事を特徴とするものである。
【００１２】
上記構成を採用する事により、接触式メモリータグを採用した画像形成装置において、プロセスカートリッジ着脱時に誤って接点に触ってしまう事で、メモリータグデータ通信回路が静電破壊することを低コストかつ小スペースで実現する事が可能となる。
【００１３】
【発明の実施の形態】
次に本発明に係る一実施形態例を図面を参照して具体的に説明する。
【００１４】
〔第一の実施形態例〕
図１−Ａ、図１−Ｂ、図２−Ａ、図２−Ｂを参照して具体的に説明する。
【００１５】
図１−Ａはメモリータグ及びコネクター動作機構が通信可能位置にある状態を示す図であり、図１−Ｂはその状態のコネクタ−接点近傍を示す詳細図である。
【００１６】
また、図２−Ａはメモリータグ及びコネクター動作機構が待避位置にある状態を示す図であり、図１−Ｂはその状態のコネクター接点近傍を示す詳細図である。
【００１７】
図１−Ａにおいて、１はプロセスカートリッジ、２はプロセスカートリッジに取り付けられたメモリータグ、３はコネクター、４はコネクター側接点、５はコネクターを保持するコネクターホルダ、６はコネクターが通信位置にある場合にはコネクター接点と接触可能であり、コネクターが待避位置にある場合にはコネクター接点と接触しない本体側接点、７は本体側接点と電気制御部をつなぐ束線である。
【００１８】
８はコネクターホルダを支えるホルダハウジング、９は光学スキャナーとホルダハウジングを支持するフレーム部材、１０は開閉カバーの開閉動作に連動して回動し、カートリッジを正規位置まで押し込むプッシュアーム、１１はプッシュアームの動きに連動してコネクターホルダを通信位置と待避位置に動かすリンクロッドである。１２は転写ローラ、１３は本体フレームである。また、１４は光学スキャナ、１５はコネクターに接圧を与えるコネクターばね、１６はプッシュアームを押し上げるプッシュアームばねである。
【００１９】
以下に本発明の動作を説明する。
【００２０】
図１−Ａ及び図１−Ｂに示すように本体にプロセスカートリッジ１が挿入されており、開閉カバーが閉じられている場合、プロセスカートリッジ１はプッシュアーム１０によって装着位置に押し込まれており、コネクターホルダ５はプッシュアーム１０が装着位置にあることによって、コネクター接点４がメモリータグ２と接触し、通信することが可能な位置に移動している。
【００２１】
コネクター３はコネクターホルダ５に取り付けられたコネクターばね１５によって接圧をかけられており、プッシュアーム１０とコネクターホルダ５を繋ぐリンクロッド１１はコネクターホルダ５とつながる部分が長穴形状になっているので、コネクター３はリンクロッド１１に邪魔されることなく、メモリータグ２の接点に接する事が出来るようになっている。
【００２２】
コネクター３の接点４は本体側の接点６と接触しており、本体側接点６はそれ自身のばね性によってコネクター接点４に押し付けられているため、本体通信制御回路からの信号は、束線７を通って本体側接点６に入り、さらにコネクター接点４を介してメモリータグ２と通信を行なう事ができるようになっている。
【００２３】
ここで、本体の開閉カバーを開けると、カバーの開閉に連動してプッシュアーム１０がプッシュアームばね１６の力によって動作し、図２−１及び図２−２に示す状態にプッシュアーム１０及びコネクターホルダ５とコネクターホルダに取り付けられたコネクター３、コネクター接点４が移動する。
【００２４】
プッシュアーム１０がプロセスカートリッジ着脱位置に移動すると、リンクロッド１１で連結されたコネクターホルダ５はホルダハウジング８に取り付けられた回動中心を中心に回動し、通信可能位置から移動し、待避位置まで移動する。
【００２５】
このとき、本体側接点６は本体フレーム部材９に取り付けられたホルダハウジング８に固定されており、また、コネクターホルダー５の移動に伴って本体側接点６の先端がコネクターホルダー５の斜面部を滑る事によって、コネクター接点４との接触が外れることになる。
【００２６】
すなわち、プロセスカートリッジ着脱用の開閉カバーが開いている状態では、コネクター接点４は本体の通信制御回路から切り離されるため、コネクター接点４から入ってくる静電気等が通信制御回路まで達することがなるなり、回路の静電破壊を防止する事が可能になる。
【００２７】
これまで説明してきたように、上記構成のようにすることで、本体開閉カバーが開いている状態でコネクターの接点を誤って触ってしまった場合でも、高圧の静電気が本体の通信制御回路部まで伝達することないため、メモリータグ通信用接点を、完全にフレーム部材で隠すように大きなストロークで動作させなくても、本体の通信回路の静電破壊を防止する事が可能になる。
【００２８】
〔第二の実施形態例〕
次に本発明に係る第２の実施形態例を図面を参照して具体的に説明する。
【００２９】
図３−Ａ、図３−Ｂ、図４−Ａ、図４−Ｂを参照して具体的に説明する。
【００３０】
図３−Ａはメモリータグ及びコネクタ動作機構が通信可能位置にある状態を示す図であり、図３−Ｂはその状態のコネクタ接点近傍を示す詳細図である。
【００３１】
また、図４−Ａはメモリータグ及びコネクタ動作機構が待避位置にある状態を示す図であり、図４−Ｂはその状態のコネクタ接点近傍を示す詳細図である。
【００３２】
図３−Ａにおいて、１はプロセスカートリッジ、２はプロセスカートリッジに取り付けられたメモリータグ、３はコネクタ、４はコネクタ側接点、５はコネクターを保持するコネクタホルダ、６はコネクタが通信位置にある場合にはコネクタ接点と接触可能であり、コネクタが待避位置にある場合にはコネクタ接点と接触しない本体側接点、７は本体側接点と電気制御部をつなぐ束線である。
【００３３】
８はコネクターホルダを支えるホルダハウジング、９−２は光学スキャナーとホルダハウジングを支持する本体の電気的グラウンドにつながっている導電性フレーム部材、１０は開閉カバーの開閉動作に連動して回動し、カートリッジを正規位置まで押し込むプッシュアーム、１１はプッシュアームの動きに連動してコネクターホルダを通信位置と待避位置に動かすリンクロッドである。１２は転写ローラ、１３は本体フレームである。
【００３４】
また、１４は光学スキャナ、また、１４は光学スキャナ、１５はコネクターに接圧を与えるコネクターばね、１６はプッシュアームを押し上げるプッシュアームばね、１７は本体フレームの電気的グラウンド部に取り付けられた本体アース接点である。
【００３５】
以下に本発明の動作を説明する。
【００３６】
図３−Ａ及び図３−Ｂに示すように本体にプロセスカートリッジ１が挿入されており、開閉カバーが閉じられている場合、プロセスカートリッジ１はプッシュアーム１０によって装着位置に押し込まれており、コネクターホルダ５はプッシュアーム１０が装着位置にあることによって、コネクター３がメモリータグ２と接触し、通信することが可能な位置に移動している。
【００３７】
コネクター３はコネクターホルダ５に取り付けられたコネクターばね１５によって接圧をかけられており、プッシュアーム１０とコネクターホルダ５を繋ぐリンクロッド１１はコネクターホルダ５とつながる部分が長穴形状になっているので、コネクター３はリンクロッド１１に邪魔されることなく、メモリータグ２の接点に接する事が出来るようになっている。
【００３８】
コネクターの接点４は本体側の接点６と接触しており、本体側接点６はそれ自身のばね性によってコネクタ接点４に押し付けられているため、本体通信制御回路からの信号は、束線７を通って本体側接点６に入り、さらにコネクター接点４を介してメモリータグ２と通信を行なう事ができるようになっている。
【００３９】
ここで、本体の開閉カバーを開けると、カバーの開閉に連動してプッシュアームばね１６の力によってプッシュアーム１０が動作し、図４−１及び図４−２に示す状態にプッシュアーム１０及びコネクターホルダ５とコネクターホルダ５に取り付けられたコネクター３が移動する。
【００４０】
プッシュアーム１０がプロセスカートリッジ着脱位置に移動すると、リンクロッド１１で連結されたコネクターホルダ５及びコネクタ３はホルダハウジング８に取り付けられた回動中心を中心に回動し、通信可能位置から移動し、待避位置まで移動する。
【００４１】
このとき、本体側接点６は本体フレーム部材９−１に固定されたホルダハウジング８に固定されており、また、本体側接点６の先端がコネクターホルダー５の移動に伴ってコネクターホルダー５の斜面部を滑る事によって、コネクター接点４との接触が外れることになる。
【００４２】
また、本体側接点６から切り離されたコネクタ接点４は、回動する事によってフレーム部材９―２に取り付けられた本体アース接点１５と接触する。この場合、コネクター接点４は電気的グラウンドレベルと同一になるため、高圧静電気が入ってきても、本体フレームを介して、電気をグラウンドに逃がす事が可能になる。
【００４３】
すなわち、プロセスカートリッジ着脱用の開閉カバーが開いている状態では、コネクター接点４は本体の通信制御回路から切り離され、かつコネクタ接点４が本体の電気的グラウンドと接続されるため、コネクター接点４から入ってくる静電気等が通信制御回路まで達することがなるなり、かつ、静電気がコネクター３内にチャージアップされることも無くなるため、気中放電での高圧静電気のチャージであっても回路の静電破壊を防止する事が可能になる。
【００４４】
これまで説明してきたように、上記構成のようにすることで、本体開閉カバーが開いている状態でコネクターの接点を誤って触ってしまった場合でも、高圧の静電気が本体の通信制御回路部まで伝達することがなく、さらにコネクター内で静電気がチャージされることも無くなるため、メモリータグ通信用接点を、完全にフレーム部材で隠すように大きなストロークで動作させなくても、本体の通信回路の静電破壊を防止する事が可能になる。
【００４５】
【発明の効果】
以上説明したように、本発明に係る画像形成装置は、
本体開閉カバーが開いている状態でコネクターの接点を誤って触ってしまった場合でも、高圧の静電気が本体の通信制御回路部まで伝達することがないため、コネクター接点を完全にフレーム部材で隠さなくても本体通信回路の静電破壊を防止する事が可能である。
【００４６】
また、コネクター内で静電気がチャージされることも無くなるため、気中放電によるコネクターの高圧静電気チャージアップに対しても本体通信回路の静電破壊を防止する事が可能になる。
【図面の簡単な説明】
【図１−Ａ】本発明による第１の実施例を示すメモリータグ機構の通信可能状態の側面図
【図１−Ｂ】本発明による第１の実施例を示すメモリータグ機構の通信可能状態の詳細図
【図２−Ａ】本発明による第１の実施例におけるメモリータグ機構の待避状態の側面図
【図２−Ｂ】本発明による第１の実施例におけるメモリータグ機構の待避状態の詳細図
【図３−Ａ】本発明による第２の実施例を示すメモリータグ機構の通信可能状態の側面図
【図３−Ｂ】本発明による第２の実施例を示すメモリータグ機構の通信可能状態の詳細図
【図４−Ａ】本発明による第２の実施例におけるメモリータグ機構の待避状態の側面図
【図４−Ｂ】本発明による第１の実施例におけるメモリータグ機構の待避状態の詳細図
【図５】従来例の構成を示す本体構成側面図
【図６−Ａ】従来例の構成におけるメモリータグ機構の通信可能状態の側面図
【図６−Ｂ】従来例の構成におけるメモリータグ機構の通信可能状態の詳細図
【符号の説明】
１：プロセスカートリッジ
２：メモリータグ
３：コネクター
４：コネクター接点
５：コネクターホルダ
６：本体側接点
７：通信用束線
８：本体フレーム部材
９：光学スキャナ
１０：プッシュアーム
１１：リンクロッド
１２：転写ローラ
１３：本体フレーム
１４：光学スキャナ
１５：コネクターばね
１６：プッシュアームばね
１７：本体アース接点
【図１−Ａ】
2004069944.tif 000003
【図１−Ｂ】
2004069944.tif 000004
【図２−Ａ】
2004069944.tif 000005
【図２−Ｂ】
2004069944.tif 000006
【図３−Ａ】
2004069944.tif 000007
【図３−Ｂ】
2004069944.tif 000008
【図４−Ａ】
2004069944.tif 000009
【図４−Ｂ】
2004069944.tif 000010
【図５】
2004069944.tif 000011
【図６−Ａ】
2004069944.tif 000012
【図６−Ｂ】
2004069944.tif 000013